(57)【要約】【課題】構造を簡素化できるとともに、室内に広範囲に加湿された空気を放出することのできる気化式加湿機を提供することを目的とする。【解決手段】方形状に形成されたケース１内上部を左右に区画して一方に給水タンク７を着脱自在に装着し、他方を更に前後に区画して、区画された後方に送風機１２を備え吸込口３に臨んだ送風室８を、区画された前方に前記ケース１の上面に形成された吹出口４に連なる通風路９を設けるとともに、これらの下方に、給水タンクを支承する上部延出部を一側に形成し、内部に加湿エレメントを多数配設した加湿ユニット１０を設ける。【選択図】  図１
2004270964.tif 000002
【特許請求の範囲】
【請求項１】
ケース内上部を第一仕切板により左右に区画して、一方に給水タンク収納室を設け、他方を更に第二仕切板により前後に区画して、区画された後部に、前記ケースに形成された吸込口に臨んで送風室を設け、区画された前部に、前記ケースの上面に形成された吹出口に連通する通風路を設けるとともに、
前記送風室と、前記第二仕切板の開放された下方と、前記通風路とで前記吸込口と前記吹出口とを結ぶ空気通路を形成し、前記送風室に送風機を設け、その下流側に、
前記送風室に対応して流入口を、前記通風路に対応して流出口を夫々備えるとともに、内部を隔壁により上下に仕切り、仕切られた下方に貯水部を、前記隔壁の上面に、前記貯水部から水を供給され前記流入口から吸込まれた空気に対し水を蒸発させて放湿する透湿膜を備えた中空状の加湿エレメントを左右方向に複数立設する一方、一側に前記給水タンクを支承するとともに、同給水タンクから滴下する水を受ける受皿と、同受皿と前記貯水部とを結ぶ導水管とを備えた加湿ユニットを設けてなることを特徴とする気化式加湿機。
【請求項２】
前記加湿エレメントが横長矩形状に形成され、その両側面に前記透湿膜からなる放湿部を上下に複数形成する一方、長手方向を、前記流入口から前記流出口に向けて流れる空気流に対し平行に立設されてなることを特徴とする請求項１に記載の気化式加湿機。
【請求項３】
前記加湿エレメントが前記透湿膜を孔に接合した右側板と左側板とを熱溶着により接合して形成され、内部に前記貯水部からの水が供給される空洞部を形成してなることを特徴とする請求項２に記載の気化式加湿機。
【請求項４】
前記送風機が、前記吸込口から吸込まれた空気を下方に向けて吹出す遠心ファンと、同遠心ファンを駆動するファンモータからなることを特徴とする請求項１に記載の気化式加湿機。
【請求項５】
前記送風機の下部に、ヒータを備え吹出される空気を加熱する加熱部を連設してなることを特徴とする請求項４に記載の気化式加湿機。
【請求項６】
前記ケースの一側下部に開口部を設けるとともに、同開口部から引出し自在な上面が開放された下部ケースを設け、同下部ケースの底面に前記加湿ユニットを載置固定してなることを特徴とする請求項１に記載の気化式加湿機。
【発明の詳細な説明】
【０００１】
【発明の属する技術分野】
本発明は、気化式加湿機に関わり、より詳細には、複数の加湿エレメントを備えた加湿ユニットに給水タンクの受部を一体に形成するとともに、上方に向けて加湿された空気を吹出せるようにした構成に関する。
【０００２】
【従来の技術】
従来の気化式加湿機は、例えば図５で示すように、外装ケース３０の背面下部に吸込口３１を、前面下部に複数の風向板３２ａを備えた吹出口３２を設けている。前記吸込口３１から前記吹出口３２に至る空気流路には、上流側から順次ファンモータ３７により駆動される送風ファン３６と、通路する空気に対し水蒸気を放湿する加湿ユニット３５が設けられており、またこれらの上方には前記加湿ユニット３５に水を供給する給水タンク３３が着脱自在に設けられている。また同給水タンク３３は前記外装ケース３０内に設けられた受部に支持されるとともに、同受部に備えられた水槽に水を滴下させるようになっている。（特許文献１参照）
【０００３】
前記加湿ユニット３５には、ある程度の表面積を有するチューブ状の透湿膜が多段に配設されており、前記給水タンク３３から供給された水はチューブ状の透湿膜内を流れる一方、透湿膜の外部に徐々に蒸発し周囲を通過する空気を加湿するようになっている。
【０００４】
しかしながら、上記した構成においては前記給水タンクの受部を外装ケースに設けることにより構造がやや複雑になり、また吹出口を前面下部に設けているため、加湿された空気が周囲に行き渡らないというような難点があった。
【０００５】
【特許文献１】
特開平９−２６４５７３号
【０００６】
【発明が解決しようとする課題】
本発明は上記問題点に鑑み、給水タンクの受部を加湿ユニットに一体に形成して構造の簡素化をはかるとともに、加湿された空気を上方に吹出せるようにして広範囲に湿潤した空気を供給できるようにした気化式加湿機を提供することを目的とする。
【０００７】
【課題を解決するための手段】
本発明は上記課題を解決するため、ケース内上部を第一仕切板により左右に区画して、一方に給水タンク収納室を設け、他方を更に第二仕切板により前後に区画して、区画された後部に、前記ケースに形成された吸込口に臨んで送風室を設け、区画された前部に、前記ケースの上面に形成された吹出口に連通する通風路を設けるとともに、
前記送風室と、前記第二仕切板の開放された下方と、前記通風路とで前記吸込口と前記吹出口とを結ぶ空気通路を形成し、前記送風室に送風機を設け、その下流側に、
前記送風室に対応して流入口を、前記通風路に対応して流出口を夫々備えるとともに、内部を隔壁により上下に仕切り、仕切られた下方に貯水部を、前記隔壁の上面に、前記貯水部から水を供給され前記流入口から吸込まれた空気に対し水を蒸発させて放湿する透湿膜を備えた中空状の加湿エレメントを左右方向に複数立設する一方、一側に前記給水タンクを支承するとともに、同給水タンクから滴下する水を受ける受皿と、同受皿と前記貯水部とを結ぶ導水管とを備えた加湿ユニットを設けてなる構成となっている。
【０００８】
また、前記加湿エレメントが横長矩形状に形成され、その両側面に前記透湿膜からなる放湿部を上下に複数形成する一方、長手方向を、前記流入口から前記流出口に向けて流れる空気流に対し平行に立設されてなる構成となっている。
【０００９】
また、前記加湿エレメントが前記透湿膜を孔に接合した右側板と左側板とを熱溶着により接合して形成され、内部に前記貯水部からの水を充填する空洞部を形成してなる構成となっている。
【００１０】
また、前記送風機が、前記吸込口から吸込まれた空気を下方に向けて吹出す遠心ファンと、同遠心ファンを駆動するファンモータからなる構成となっている。
【００１１】
また、前記送風機の下部に、ヒータを備え吹出される空気を加熱する加熱部を連設してなる構成となっている。
【００１２】
また、前記ケースの一側下部に開口部を設けるとともに、同開口部から引出し自在な上面が開放された下部ケースを設け、同下部ケースの底面に前記加湿ユニットを載置固定してなる構成となっている。
【００１３】
【発明の実施の形態】
以下、本発明の実施の形態を、添付図面に基づいた実施例として詳細に説明する。
図１は本発明による気化式加湿機を示す斜視図であり、図２は図１でのＡ−Ａ断面図である。図３は加湿ユニットを示す斜視図及び断面図であり、図４は加湿エレメントを示す斜視図と断面図である。
本発明による気化式加湿機は、図１及び図２で示すように、前面下部に開口部１ａを備えた方形状のケース１内上部を第一仕切板５により左右に区画し、右方区画に給水タンク収納室７を設けるとともに、左方区画を更に第二仕切板６により前後に区画して、区画された後部に送風室８を、区画された前部に通風路９を夫々設けている。また、これらの下方には、前記開口部１ａに臨んで上面が開放され、底板上に加湿ユニット１０を装着した下部ケース２が前記開口部１ａから引出し自在に設けられている。
【００１４】
前記ケース１の背面には、前記送風室８に臨んで吸込口３が複数の桟により形成され、上面には前記通風路９に臨んで複数の風向偏向板４ａを回動自在に備えた吹出口４が形成されている。前記送風室８には、遠心ファン１２ａと同遠心ファン１２ａを駆動するファンモータ１２ｂを備えた送風機１２が吸込孔１２ｃを前記吸込口３に連通させる一方、吹出孔１２ｄを下方に向けて設けられており、同送風機１２の下部には前記吹出口孔１２ｄに接続されてヒータ１３ａを備えた加熱部１３が設けられている。
【００１５】
前記加湿ユニット１０は、図３（Ａ）の斜視図及び図３（Ｂ）の断面図で示すように、背面に上下に連設された桟により流入口１０ｂを備え、前面に上下に連設された桟により流出口１０ｃを備えた方形状に形成され、内部を底面近傍に設けられた隔壁１０ｅにより上下に仕切っている。同隔壁１０ｅにより仕切られた下方は水を貯水する貯水部１０ｆが形成され、前記隔壁１０ｅの上面には左右方向に加湿エレメント１１が長手方向を前後に向けて複数立設されている。
【００１６】
また、前記加湿ユニット１０は右側上部を上方及び後方に延出して上部延出部１０ａを設けており、同上部延出部１０ａ内には下方に向けて傾斜した角錐状の受皿１０ｄが形成され、同受皿１０ｄの底部には前記貯水部１０ｆに連通する導水管１０ｈが垂下するように接続されている。また、前記受皿１０ｄの斜面一側には前記給水タンク７ａの下面に着脱自在に設けられ開閉弁７ｃを備えたキャップ７ｂに対応し、前記開閉弁７ｃを押圧する円筒状の押圧部１０ｇを立設されている。前記上部延出部１０ａには図３（Ｂ）に示すように、前記給水タンク７ａが前記受皿１０ｄに対応して載置されるとともに、これを支承するようになっており、前記押圧部１０ｇが前記開閉弁７ｃを押圧すると、前記給水タンク７ａに充填された水が同開閉弁７ｃから前記受皿１０ｄに水が滴下し、同受皿１０ｄに一定水位の水が貯留されるようになっている。貯留された水は前記導水管１０ｈを介して前記貯水部１０ｆに流下し、続いて前記加湿エレメント１１内に供給されるようになっている。
【００１７】
前記加湿エレメント１１は、図４（Ａ）で示すように、横長矩形状に形成され長手方向の両側面に上下に放湿部１１ｃを複数設けている。同放湿部１１ｃはポリエチレンあるいはポリオレフィン系の樹脂材からなる多孔性の透湿膜で構成され、同透湿膜は水の粒子は通過させないが水蒸気は適宜通過させることができるようになっている。また、図４（Ｂ）で示すように、同加湿エレメント１１は右側板１１ａと左側板１１ｂとの周縁部を熱溶着により接合させて形成され、前記放湿部１１ｃとなる孔の周囲に前記透湿膜を接着あるいは熱溶着により接合させ、その内部を水が供給される空洞部としている。また同加湿エレメント１１は、図４（Ｃ）で示すように、下端に形成された中空状の基部１１ｅを、前記隔壁１０ｅに穿設された孔に挿通させるとともに下方に突出させ、前記基部１１ｅを孔の周囲に溶剤により接合して水の漏出を防止するようになっている。前記貯水部１０ｆに水が貯水されると前記受皿１０ｄとの水位から生じる圧力差により前記加湿エレメント１１内の前記空洞部内に水は押し上げられ、供給された水は前記放湿部１１ｃから適宜水蒸気となって周囲に放湿されるようになっている。
【００１８】
また、前記加湿ユニット１０を底板上に載置した前記下部ケース２は、底板に前後に立設した相対向するガイド２ａにより前記加湿ユニット１０を拘束する一方、前後加湿エレメント１１の透湿膜が水の圧力により破損し前記加湿ユニット１０の流入口１０ｂ及び流出口１０ｃから水が漏出してきた際、機器外部に水が漏洩しないよう防止するようになっている。
【００１９】
次に、動作について説明する。水が充満した前記給水タンク７ａが前記加湿機ユニット１０の上部延出部１０ａに載置されると、前記押圧部１０ｇが前記開閉弁７ｃを押圧し、これを適宜開放させるようになっている。同開閉弁７ｃから前記受皿１０ｄに滴下した水は前記導水管１０ｈを介して前記貯水部１０ｆに導びかれるとともに、前記加湿エレメント１１内に圧力差により供給されるようになっている。
【００２０】
前記送風室８に設けられた送風機１２が始動すると、図２の矢印で示すように、室内の空気は前記吸込口３から前記送風機１２内に吸込まれ、前記遠心ファン１２ａの作用により前記加熱部１３を介して下方に向けて吹出される。吹出された空気は前記流入口１０ｂから前記加湿ユニット１０内に流入し、並列された多数の前記加湿エレメント１１の周囲を通過する間に、前記放湿部１１ｃから放湿された水蒸気により加湿され前記流出口１０ｃから前記通風路９に向けて流出するようになっている。流出した加湿空気は前記通風路９を介してケース１の上面に設けられた前記吹出口４から周囲に向けて放出されるようになっている。
【００２１】
また、室内の空気が非常に乾燥している場合や、室温が低い場合は、前記加熱部１３に備えられたヒータ１３ａに通電させ、これより発熱した熱により通過する空気を加熱することにより空気の飽和温度が上昇し、前記加湿ユニット１０での加湿量を増大させ、より室内の加湿を迅速に行うことができるようになっている。
【００２２】
【発明の効果】
以上説明したように、本発明によると、ケース内を左右に区画して一方に給水タンクを着脱自在に設け、他方を更に前後に区画して区画された後方に送風機を備えた送風室を、区画された前方に吹出口に連なる通風路を設けるとともに、これらの下方に、給水タンクを支承する上部延出部を一側に形成し、内部に加湿エレメントを多数配設した加湿ユニットを設けることにより、構造の簡素化がはかれ、また加湿された空気を上面に設けられた吹出口から広範囲に放出することのできる気化式加湿機とすることができる。
【図面の簡単な説明】
【図１】本発明による気化式加湿機を示す透視斜視図である。
【図２】図１でのＡ−Ａ断面図である。
【図３】（Ａ）は加湿ユニットを示す斜視図である。
（Ｂ）はその断面図である。
加湿ユニットを示す斜視図である。
【図４】（Ａ）は加湿エレメントを示す斜視図である。
（Ｂ）は（Ａ）でのＢ−Ｂ断面図である。
（Ｃ）は（Ａ）でのＣ−Ｃ断面図である。
【図５】従来例による気化式加湿機の断面図である。
【符号の説明】
１  ケース
１ａ  開口部
２  下部ケース
２ａ  ガイド
３  吸込口
４  吹出口
４ａ  風向偏向板
５  第一仕切板
６  第二仕切板
７  給水タンク収納室
７ａ  給水タンク
７ｂ  キャップ
７ｃ  開閉弁
８  送風室
９  通風路
１０  加湿ユニット
１０ａ  上部延出部
１０ｂ  流入口
１０ｃ  流出口
１０ｄ  受皿
１０ｅ  隔壁
１０ｆ  貯水部
１０ｇ  押圧部
１１  加湿エレメント
１１ａ  右側板
１１ｂ  左側板
１１ｃ  放湿部
１１ｅ  基部
１２  送風機
１２ａ  遠心ファン
１２ｂ  ファンモータ
１２ｃ  流入孔
１２ｄ  流出孔
１３  加熱部
１３ａ  ヒータ
【図１】
2004270964.tif 000003
【図２】
2004270964.tif 000004
【図３】
2004270964.tif 000005
【図４】
2004270964.tif 000006
【図５】
2004270964.tif 000007